(57)【要約】      （修正有）【課題】改葬して新たな納骨堂に収められる骨つぼを見れば、故郷の先祖代々継承されてきた墓群のことが全て分かる骨つぼを提供する。【解決手段】改葬して新たな納骨堂に収める骨つぼに、故郷の先祖代々継承されてきた墓群の写真、所在地、墓群の詳細、謂れ等を記し、当該骨つぼを見れば、故郷にあった墓群のことが全て分かるようにする。【選択図】図１
0003152041.tif 000002
【実用新案登録請求の範囲】
【請求項１】
墓地移転、改葬時において、移転する墓群の写真を撮り、当該写真を骨つぼの一面に焼き付けると共に、他面には、移転、改葬する墓群の詳細、謂れ等を書き込み焼成したことを特徴とする陶磁器等からなる墓移転、改葬時に用いる骨つぼ。
【考案の詳細な説明】
【技術分野】
【０００１】  本考案は、墓の移転、改葬時に、改葬前の墓群の遺骨、土等を収める骨つぼに関するものである。
【背景技術】
【０００２】  近年、故郷に先祖の墓を残して都会で生活している人は多い。そのため故郷にある墓地では当該墓が無縁墓と同じようになって荒れ果てていることもある。【０００３】  このような故郷に残している墓を自分の住んでいる地に移転、改葬しようとする動きもあるが、住んでいる土地が都会であれば、新たに墓を作ることが難事であり、そのような問題を解決せんとして最近では内部に多数のロッカー式納骨室を有する納骨堂が建立されている。【０００４】  しかし、故郷の墓群を整理し、当該墓群に埋葬されている遺骨は骨つぼに入れて新しい納骨堂に収めることは容易であるが、移転、改葬した時点で、故郷の土地に先祖代々継承されてきた墓群が、一つの骨つぼに収まって改葬されるとはいえ、故郷に代々継承されてきた墓群はその姿が消えてしまうという問題があった。
【考案の開示】
【考案が解決しようとする課題】
【０００５】  改葬して新たな納骨堂に収められる骨つぼを見れば、故郷の先祖代々継承されてきた墓群のことが全て分かるようにすること、これが考案が解決しようとする課題である。
【課題を解決するための手段】
【０００６】  改葬して新たな納骨堂に収める骨つぼに、故郷の先祖代々継承されてきた墓群の写真、所在地、墓群の詳細、謂れ等を記し、当該骨つぼを見れば、故郷にあった墓群のことが全て分かるようにすること、これが課題を解決するための手段である。
【考案の効果】
【０００７】  本考案は、墓地移転、改葬時において、移転する墓群の写真を撮り、当該写真を骨つぼの一面に焼き付けると共に、他面には、移転、改葬する墓群の詳細、謂れ等を書き込み焼成したことを特徴とする陶磁器等からなる墓移転、改葬時に用いる骨つぼであるから、従来、故郷で管理されることなく荒れ果てていた先祖代々の墓群を移転、改葬しても、その墓群が故郷の墓地ではどのような状態にあったのかは不明であったが、本考案においては、骨つぼに故郷の墓群の写真を焼きつけ、また墓群の謂れ等を詳細に記し焼成することによって、改葬された骨つぼを見れば、墓群の歴史を理解することができ、しかもその記録は骨つぼと共に半永久に保存されるという誠に顕著なる実用的効果を有するものである。
【考案を実施するための最良の形態】
【０００８】  墓地移転、改葬時において、移転する墓群の写真を撮り、当該写真を骨つぼの一面に焼き付けると共に、他面には、移転、改葬する墓群の詳細、謂れ等を書き込み焼成したことを特徴とする陶磁器等からなる墓移転、改葬時に用いる骨つぼを呈せんとするものである。
【実施例１】
【０００９】  骨つぼ１は陶磁器製からなり、本実施例においては、底付きの円筒形で、蓋３は本体１に被冠状態に被せられる構造としている。改葬するのが先祖代々の古い墓群であることから考えれば、遺骨が残っていない場合もあり、その際は墓下の土を入れるために、骨つぼは比較的大きいものが望ましい。尚、骨つぼ１の形状については本考案実施例に限定を受けるものではない。また、蓋３の取り付け方についても通常この種の骨つぼの蓋の取り付け方でよく、実施例に限定は受けるものではない。また本実施例においては骨つぼ本体２及び蓋３に模様を付しているが、当該模様の有無に限定を受けるものではない。【００１０】  骨つぼ１の本体２側面には図１に示すように、故郷の墓群の写真４を焼き付けている。写真４は図４に示す原版から、上方の石垣部分を削除し、また通路も削除して一面芝張りの状態に補正している。但し、故郷の墓群の写真を補正せずにそのまま利用することも可能である。【００１１】  図２に示すように、同じく本体の２の側面の故郷の墓群の写真４を焼き付けた反対側に、墓群の所在地、墓群があった寺院名、改葬する場所、改葬者等の詳細５を記し焼成している。本実施例においては、当該詳細５を墓群のあった寺院の住職に記してもらっている。【００１２】  図５に示すように、蓋３の内側には、墓群のそれぞれの墓の先祖の戒名６を記している。【００１３】  図６に示すように、本体２の側面で、墓群の歴史詳細５を記した部位に、当該墓群の供養のために建立されていた多宝塔の写真７を焼き付けている。これ墓地によっては五輪塔の場合もある。また多宝塔、五輪塔７等がない場合には、故郷の景色、或いは墓群が建立されていた菩提寺、墓地等の写真としてもよく、多宝塔、五輪塔等に限定を受けるものではない。【００１４】  図７に示すように、本体２の側面で、墓群の歴史詳細５を記した部位に、大日如来像７等を焼き付けている。これは大日如来像８に限定されるものではなく、その他の仏像でもよいし、また般若心経等を記して焼成してもよい。【００１５】  図３に示すように、蓋３の表面には、墓群の家紋９を焼き付けている。当該家紋９は、家紋に限定を受けるものではなく宗門としてもよく、また家紋９等の大小は問わない。
【産業上の利用可能性】
【００１６】  本考案は、墓地移転、改葬時において、移転する墓群の写真を撮り、当該写真を骨つぼの一面に焼き付けると共に、他面には、移転、改葬する墓群の詳細、謂れ等を書き込み焼成したことを特徴とする陶磁器等からなる墓移転、改葬時に用いる骨つぼであるから、従来、故郷で管理されることなく荒れ果てていた先祖代々の墓群を移転、改葬しても、その墓群が故郷の墓地ではどのような状態にあったのかは不明であったが、本考案においては、骨つぼに故郷の墓群の写真を焼きつけ、また墓群の謂れ等を詳細に記し焼成することによって、改葬された骨つぼを見れば、墓群の歴史を理解することができ、しかもその記録は骨つぼと共に半永久に保存される。しかもこのように従来は存在しなかった骨つぼの開発で陶磁器業界においても新たな商品ということになり、当業界においても効果は極めて大きく利用可能性は極めて大である。
【図面の簡単な説明】
【００１７】
【図１】  本考案に係る骨つぼの正面図。
【図２】  本考案に係る骨つぼの背面図。
【図３】  本考案に係る骨つぼの斜視図。
【図４】  故郷の墓群の写真。
【図５】  本考案に係る蓋の内面図。
【図６】  故郷の墓群の多宝塔を示す側面図。
【図７】  大日如来像を示す側面図。
【符号の説明】
【００１８】１  骨つぼ
２  骨つぼ本体
３  蓋
４  故郷の墓群の写真
５  墓群の歴史詳細
６  戒名
７  多宝塔等の写真
８  大日如来像
９  家紋
【図１】
0003152041.tif 000003
【図２】
0003152041.tif 000004
【図３】
0003152041.tif 000005
【図４】
0003152041.tif 000006
【図５】
0003152041.tif 000007
【図６】
0003152041.tif 000008
【図７】
0003152041.tif 000009